(57)【要約】  【課題】１つの発光素子でディスクの有無を表示する場合でも、ディスク有無を誤認識するおそれがないようにする。  【解決手段】電源ＯＦＦの状態で、マイコン１７の出力端子Ｔ１から出力されるパルス信号でＬＥＤ１を発光させ、ディスク１４の挿入によりＬＥＤ１の光が遮断されることで電源がＯＮとなるスロットイン式のディスクローダを内蔵したテレビにおいて、電源がＯＦＦでかつディスク１４が挿入されていない場合に、ディスク検知部１６からマイコン１７の入力端子Ｔ２に「Ｌ／Ｈ」のパルス信号が入力されると、出力端子Ｔ３から「Ｌ」に固定した表示制御信号を出力する。この表示制御信号により発光ダイオードＬＥＤ２は点滅することなく消灯状態となり、スロット４内にディスクがないことを正確に知らせることができる。【選択図】  図３
2006338763.tif 000002
【特許請求の範囲】
【請求項１】
ディスクの挿入および排出を行うスロットと、
前記スロットに挿入されたディスクを内部へ取り込むスロットイン式のディスクローダと、
投光素子および受光素子を有し、前記スロットからディスクが挿入されたときに、投光素子から受光素子への光がディスクで遮蔽されることでディスクを検知するディスク検知部と、
前記ディスク検知部の出力を判別し、その判別結果に基づいて表示制御信号を出力するマイクロコンピュータと、
前記表示制御信号により点灯または消灯する発光ダイオードの発光状態によって、前記スロット内のディスクの有無を表示する表示部とを備え、
前記ディスク検知部の投光素子は、テレビの電源がＯＮの状態にあるときは、前記マイクロコンピュータから出力される連続信号により駆動されて連続光を投射し、テレビの電源がＯＦＦの状態にあるときは、前記マイクロコンピュータから出力されるパルス信号により駆動されてパルス光を投射し、このパルス光がディスクで遮蔽されてディスクが検知されたことに応答してテレビの電源がＯＮとなるディスクローダ内蔵型テレビにおいて、
前記マイクロコンピュータは、テレビの電源がＯＦＦの状態にあって、かつ、前記ディスク検知部がディスクを検知しない状態のときに、前記ディスク検知部の出力がパルス信号であることを判別すると、前記発光ダイオードを消灯状態にするための表示制御信号を前記表示部へ出力することを特徴とするディスクローダ内蔵型テレビ。
【請求項２】
スロットイン式のディスクローダを内蔵したテレビ等の機器に装備されるディスク有無表示装置であって、
投光素子および受光素子を有し、投光素子から受光素子への光がディスクで遮蔽されることでディスクを検知し、前記投光素子は機器の電源がＯＮの状態にあるときは連続光を投射し、機器の電源がＯＦＦの状態にあるときはパルス光を投射するディスク検知部と、
前記ディスク検知部の出力を判別し、その判別結果に基づいて表示制御信号を出力する制御部と、
前記表示制御信号により点灯または消灯する発光素子の発光状態によってディスクの有無を表示する表示部とを備え、
前記制御部は、機器の電源がＯＦＦの状態にあって、かつ、前記ディスク検知部がディスクを検知しない状態のときに、前記ディスク検知部の出力がパルス信号であることを判別すると、前記発光素子を消灯状態にするための表示制御信号を前記表示部へ出力することを特徴とするディスク有無表示装置。
【発明の詳細な説明】
【技術分野】
【０００１】
本発明は、ＤＶＤ等のディスクを取り込むためのディスクローダを内蔵したテレビに関し、また、テレビ等の機器に装備されるディスク有無表示装置に関するものである。
【背景技術】
【０００２】
ＤＶＤプレーヤ一体型テレビのようなディスク対応型の映像機器においては、ディスクを内部に取り込むためのディスクローダが機器本体に内蔵されている。一般に、ディスクのローディング方式には、トレイ式、スロットイン式、キャディ式、シェル式など各種の方式があるが、テレビ等では主としてトレイ式とスロットイン式が採用されている。トレイ式は、ディスクをトレイに載置して内部へ搬入する方式であり、ボタン操作によりトレイを引き出してディスクを載置した後、再びボタン操作をすることでディスクはトレイごと内部へ取り込まれる。スロットイン式は、スロットにディスクを直接挿入して内部へ取り込む方式であり、ディスクの一部をスロットに挿入すると、あとはディスクローダにより自動的にディスクが内部へ取り込まれる。スロットイン式は、トレイの出し入れを伴わないため、液晶テレビのような奥行きの短い薄型のテレビに適している。
【０００３】
ところで、トレイ式の場合は、先に挿入したディスクを取り出すのを忘れていた場合でも、新たなディスクを挿入する際にはトレイを引き出すので、先のディスクの取り忘れを確認することができ、誤ってディスクを２重装填するような事態は生じない。これに対して、スロットイン式の場合は、スロット内部が外から目視できないため、スロット内部にディスクが残っているにもかかわらず、新たにディスクを挿入することが考えられ、ディスク同士が衝突して損傷したり、無理な挿入によってローディング機構を損傷したりするおそれがある。そこで、スロット内のディスクの有無を検出し、その検出結果に基づいて発光素子を点灯または消灯させることによりスロット内のディスクの有無を表示する機能が必要となる。
【０００４】
また、スロットイン式の場合は、機器の電源がＯＦＦの状態にあるときに、スロットにディスクが挿入されると同時にこれをフォトセンサで検知して電源をＯＮにし、ディスクローダを駆動してディスクを取り込むようになっている。この場合、電源がＯＦＦの状態では、フォトセンサの投光素子から連続光ではなく間欠的なパルス光が投射される。これは、パルス光にすることで省電力化を図るためであり、パルス光でもディスクの挿入を検知することは可能である。しかしながら、電源ＯＦＦ時に投光素子をパルス駆動するようにした場合、電源ＯＦＦ時にスロットにディスクが挿入されていない状態では、フォトセンサの出力がパルス出力となるため、ディスク有無を表示する発光素子が点滅して、ユーザは機器が故障していると誤認識して不安を感じたり、ディスク有と誤認識してディスクがないのに誤って再生操作や録画操作を行ったりすることが起こりうる。
【０００５】
一方、下記の特許文献１には、異なる発光色をもった２つの発光ダイオードを設け、ディスクが挿入されているときは一方の発光ダイオードを点灯させ、ディスクが挿入されていないときは他方の発光ダイオードを点灯させることによって、ディスクの有無を発光色により識別できるようにした車載用ＣＤプレーヤが記載されている。この特許文献１では、ディスク有無の誤認識は防げるが、ディスク有無の表示用に２つの発光ダイオードが必要となるため、コストアップになるという欠点がある。また、本文献は、ディスクのチャッキング時にＯＮとなるスイッチによりディスクを検出するものであって、電源ＯＦＦ時にパルス光によってディスクを検出するものではないので、上述したような発光ダイオードの点滅による誤認識の問題に対して解決手段を提供するものではない。
【特許文献１】実開平５−２１３９７号公報
【発明の開示】
【発明が解決しようとする課題】
【０００６】
以上のように、スロットイン方式を採用したディスクローダ内蔵型テレビにおいて、電源ＯＦＦ時にディスク検知用の投光素子をパルス駆動する場合は、１つの発光ダイオードでディスクの有無を表示しようとすると、電源ＯＦＦの状態でディスクが挿入されていないときに発光ダイオードが点滅して、ユーザにおいて故障あるいはディスク有と誤認識されるおそれがあった。
【０００７】
本発明は、この問題を解決するものであって、その課題とするところは、１つの発光素子でディスクの有無を表示する場合でも、ディスク有無を誤認識するおそれのないディスクローダ内蔵型テレビおよびディスク有無表示装置を提供することにある。
【課題を解決するための手段】
【０００８】
本発明に係るディスクローダ内蔵型テレビは、ディスクの挿入および排出を行うスロットと、このスロットに挿入されたディスクを内部へ取り込むスロットイン式のディスクローダと、投光素子および受光素子を有し、スロットからディスクが挿入されたときに、投光素子から受光素子への光がディスクで遮蔽されることでディスクを検知するディスク検知部と、このディスク検知部の出力を判別し、その判別結果に基づいて表示制御信号を出力するマイクロコンピュータと、上記表示制御信号により点灯または消灯する発光ダイオードの発光状態によって、スロット内のディスクの有無を表示する表示部とを備える。ディスク検知部の投光素子は、テレビの電源がＯＮの状態にあるときは、マイクロコンピュータから出力される連続信号により駆動されて連続光を投射し、テレビの電源がＯＦＦの状態にあるときは、マイクロコンピュータから出力されるパルス信号により駆動されてパルス光を投射し、このパルス光がディスクで遮蔽されてディスクが検知されたことに応答してテレビの電源がＯＮとなる。本発明の特徴は、このようなディスクローダ内蔵型テレビにおいて、テレビの電源がＯＦＦの状態にあって、かつ、ディスク検知部がディスクを検知しない状態のときに、ディスク検知部の出力がパルス信号であることをマイクロコンピュータが判別すると、発光ダイオードを消灯状態にするための表示制御信号を表示部へ出力するようにした点にある。
【０００９】
また、本発明に係るディスク有無表示装置は、スロットイン式のディスクローダを内蔵したテレビ等の機器に装備されるディスク有無表示装置であって、ディスクを検知するディスク検知部と、このディスク検知部の出力を判別し、その判別結果に基づいて表示制御信号を出力する制御部と、前記表示制御信号により点灯または消灯する発光素子の発光状態によってディスクの有無を表示する表示部とを備える。ディスク検知部は、投光素子および受光素子を有し、投光素子から受光素子への光がディスクで遮蔽されることでディスクを検知する。また、投光素子は機器の電源がＯＮの状態にあるときは連続光を投射し、機器の電源がＯＦＦの状態にあるときはパルス光を投射する。本発明の特徴は、このようなディスク有無表示装置において、機器の電源がＯＦＦの状態にあって、かつ、ディスク検知部がディスクを検知しない状態のときに、ディスク検知部の出力がパルス信号であることを制御部が判別すると、発光素子を消灯状態にするための表示制御信号を表示部へ出力するようにした点にある。
【００１０】
このように、電源がＯＦＦでかつディスクが検知されないときに、発光素子を消灯状態とする表示制御信号を表示部へ与えることにより、発光素子は点滅せずに消灯した状態となるから、故障と誤認識されたり、スロット内にディスクがないのにディスクがあると誤認識されたりするおそれがなくなり、ユーザに対してディスクの有無を正確に知らせることができる。
【発明の効果】
【００１１】
本発明によれば、１つの発光素子でディスクの有無を表示する場合でも、ディスク有無を誤認識するおそれのないディスクローダ内蔵型テレビおよびディスク有無表示装置を提供することができる。
【発明を実施するための最良の形態】
【００１２】
以下、本発明の実施形態につき図面を参照しながら説明する。
【００１３】
図１は、本発明が適用されるＤＶＤプレーヤ一体型液晶テレビ（以下、単に「テレビ」という。）の一例を示した正面図である。１はテレビＡのフレーム、２はフレーム１に取り付けられた液晶パネル、３はフレーム１の背面の左右両側に設けられた１対のスピーカ、４はディスクの挿入および排出を行うスロット、５はスロット４内のディスクの有無を表示する発光素子、６は支持台である。液晶パネル２の背面には、図示しないバックライト用光源や、回路基板等が設けられている。このテレビＡは、図示しないリモコンを操作することにより、液晶パネル２の表示画面に映像を表示するとともに、スピーカ３から音声を出力する。また、スロット４に挿入されたディスクに対する録画再生なども、リモコンの操作により行われる。
【００１４】
図２は、テレビＡの電気的構成を示したブロック図である。１１は放送信号を受信するアンテナ、１２は所定チャンネルの放送信号を抽出するチューナ、１３は映像信号や音声信号を処理する信号処理部である。２は液晶パネル、３はスピーカであって、これらは図１で示したものと同じものである。１４はＤＶＤやＣＤ等のディスク、１５はスロット４（図１）に挿入されたディスク１４を内部へ取り込むスロットイン式のディスクローダ、１６はディスクローダ１５に設けられたディスク検知部である。１７はテレビＡの動作を制御するマイクロコンピュータ（以下、「マイコン」という。）、１８はスロット４内のディスク１４の有無を表示する表示部、１９はリモコン等からなる操作部、２０はＲＯＭやＲＡＭ等からなるメモリ、２１は各部へ電圧を供給する電源部である。マイコン１７は、本発明における制御部を構成している。
【００１５】
図３（ａ）は、本発明の特徴であるディスク有無表示装置の一例を示した回路図であって、１６，１７，１８は、それぞれ図２で示したディスク検知部、マイコン、表示部である。表示部１８のＬＥＤ２は、図１で示した発光素子５を構成している。なお、図１ではスロット４が水平に設けられているが、図３（ａ）では便宜上、スロット４を垂直方向に描いてある。
【００１６】
ディスク検知部１６は、投光素子である発光ダイオードＬＥＤ１、受光素子であるフォトトランジスタＱ１、発光ダイオードＬＥＤ１の制御用のトランジスタＱ２、抵抗Ｒ１〜Ｒ４により構成されている。フォトトランジスタＱ１のエミッタは接地されており、コレクタは抵抗Ｒ１を介して直流電圧ライン２２に接続されている。直流電圧ライン２２には、テレビの電源のＯＮ／ＯＦＦにかかわらず、ディスク検知部１６とマイコン１７と表示部１８を駆動するための直流電圧が、電源部２１（図１）より常時供給されている。フォトトランジスタＱ１のコレクタは、マイコン１７の入力端子Ｔ２に接続されている。発光ダイオードＬＥＤ１のカソードは抵抗Ｒ２を介して接地されており、アノードはトランジスタＱ２のコレクタに接続されている。トランジスタＱ２のベースは抵抗Ｒ３を介して直流電圧ライン２２に接続されているとともに、抵抗Ｒ４を介してマイコン１７の出力端子Ｔ１に接続されている。トランジスタＱ２のエミッタは、３．３Ｖの電源に接続されている。この３．３Ｖの電圧も、テレビの電源のＯＮ／ＯＦＦにかかわらず常時供給されている。発光ダイオードＬＥＤ１とフォトトランジスタＱ１とは、フォトセンサを構成しており、発光ダイオードＬＥＤ１からフォトトランジスタＱ１へ投射される光が、スロット４に挿入されたディスク１４で遮蔽されることにより、ディスク１４を検知する。
【００１７】
マイコン１７は、出力端子Ｔ１、入力端子Ｔ２、出力端子Ｔ３を備えている。マイコン１７は、端子Ｔ１〜Ｔ３以外にもテレビの制御に必要な各種の端子を備えているが、これらは本発明に直接関係しないため、図示を省略してある。出力端子Ｔ１は、発光ダイオードＬＥＤ１の駆動用信号を出力する端子であって、図３（ｂ）に示すように、テレビの電源がＯＮのとき（パワーＯＮ時）は連続信号が出力され、テレビの電源がＯＦＦのとき（パワーＯＦＦ時）は間欠的なパルス信号が出力される。電源のＯＮ／ＯＦＦは、例えばリモコンの電源スイッチを操作することにより行われる。入力端子Ｔ２は、ディスク検知部１６の出力信号が入力される端子であって、マイコン１７は、この入力端子Ｔ２に入力される信号を判別して、ディスク１４の有無を認識する。出力端子Ｔ３は、ディスク有無に基づく表示制御信号を表示部１８へ出力する。
【００１８】
表示部１８は、ディスク有無を表示する発光ダイオードＬＥＤ２、発光ダイオードＬＥＤ２の制御用のトランジスタＱ３、抵抗Ｒ５，Ｒ６により構成されている。トランジスタＱ３のベースは、抵抗Ｒ６を介してマイコン１７の出力端子Ｔ３に接続されている。また、トランジスタＱ３のエミッタは接地されており、コレクタは抵抗Ｒ５と発光ダイオードＬＥＤ２の直列回路を介して、直流電圧ライン２２に接続されている。
【００１９】
図３（ｃ）は、図３（ａ）の回路の動作パターンを示している。以下、（１）〜（４）の各場合の回路動作について、図４Ａ〜図４Ｄを参照しながら説明する。
【００２０】
（１）は、電源（パワー）がＯＮの状態において、スロット４にディスク１４が挿入されている場合である。このとき、図４Ａのように、マイコン１７の出力端子Ｔ１から「Ｈ（High）」の連続信号が出力されてトランジスタＱ２がＯＮとなり、発光ダイオードＬＥＤ１が通電されて連続光を投射するが、この光はスロット４に挿入されたディスク１４で遮蔽されてフォトトランジスタＱ１で受光されないため、フォトトランジスタＱ１はＯＦＦとなり、マイコン１７の入力端子Ｔ２には「Ｈ」信号が入力される。マイコン１７は、入力端子Ｔ２に入力された信号が「Ｈ」であることを判別すると、出力端子Ｔ３から「Ｈ」の表示制御信号を出力する。この表示制御信号は抵抗Ｒ６を介してトランジスタＱ３のベースに与えられ、トランジスタＱ３がＯＮとなる。トランジスタＱ３がＯＮする結果、発光ダイオードＬＥＤ２が通電されて点灯し、「ディスク有」を表示する。
【００２１】
（２）は、電源（パワー）がＯＮの状態において、スロット４にディスク１４が挿入されていない場合である。このとき、図４Ｂのように、マイコン１７の出力端子Ｔ１から「Ｈ」の連続信号が出力されてトランジスタＱ２がＯＮとなり、発光ダイオードＬＥＤ１が通電されて連続光を投射する。スロット４にはディスクが挿入されていないので、発光ダイオードＬＥＤ１からの光は、ディスクで遮蔽されることなくフォトトランジスタＱ１で受光される。したがって、フォトトランジスタＱ１はＯＮとなり、マイコン１７の入力端子Ｔ２には「Ｌ」信号が入力される。マイコン１７は、入力端子Ｔ２に入力された信号が「Ｌ」であることを判別すると、出力端子Ｔ３から「Ｌ」の表示制御信号を出力する。この表示制御信号は抵抗Ｒ６を介してトランジスタＱ３のベースに与えられ、トランジスタＱ３がＯＦＦとなる。トランジスタＱ３がＯＦＦする結果、発光ダイオードＬＥＤ２は消灯状態となって「ディスク無」を表示する。
【００２２】
（３）は、電源（パワー）がＯＦＦの状態において、スロット４にディスク１４が挿入されている場合である。このとき、図４Ｃのように、マイコン１７の出力端子Ｔ１から「Ｈ／Ｌ」のパルス信号が出力されてトランジスタＱ２がＯＮ／ＯＦＦし、発光ダイオードＬＥＤ１がパルス光を投射するが、この光はスロット４に挿入されたディスク１４で遮蔽されてフォトトランジスタＱ１で受光されないため、フォトトランジスタＱ１はＯＦＦとなり、マイコン１７の入力端子Ｔ２には「Ｈ」信号が入力される。マイコン１７は、入力端子Ｔ２に入力された信号が「Ｈ」であることを判別すると、出力端子Ｔ３から「Ｈ」の表示制御信号を出力する。この表示制御信号は抵抗Ｒ６を介してトランジスタＱ３のベースに与えられ、トランジスタＱ３がＯＮとなる。トランジスタＱ３がＯＮする結果、発光ダイオードＬＥＤ２が通電されて点灯し、「ディスク有」を表示する。
【００２３】
（４）は、電源（パワー）がＯＦＦの状態において、スロット４にディスク１４が挿入されていない場合である。このとき、図４Ｄのように、マイコン１７の出力端子Ｔ１から「Ｈ／Ｌ」のパルス信号が出力されてトランジスタＱ２がＯＮ／ＯＦＦし、発光ダイオードＬＥＤ１がパルス光を投射する。スロット４にはディスクが挿入されていないので、発光ダイオードＬＥＤ１からのパルス光は、ディスクで遮蔽されることなくフォトトランジスタＱ１で受光される。したがって、フォトトランジスタＱ１がＯＮ／ＯＦＦして、マイコン１７の入力端子Ｔ２には、出力端子Ｔ１からの「Ｈ／Ｌ」信号を反転した「Ｌ／Ｈ」信号が入力される。マイコン１７は、入力端子Ｔ２に入力された信号が「Ｌ／Ｈ」であることを判別すると、出力端子Ｔ３から「Ｌ」の表示制御信号を出力する。この点が本発明の特徴である。この（４）の場合に、（１）〜（３）の場合と同様に入力端子Ｔ２の信号と出力端子Ｔ３の信号とを同期させると、出力端子Ｔ３から「Ｌ／Ｈ」の表示制御信号（パルス信号）が出力されて発光ダイオードＬＥＤ２が点滅するが、本発明のように表示制御信号を「Ｌ」に固定すると、トランジスタＱ３がＯＦＦとなる結果、発光ダイオードＬＥＤ２は消灯状態となり、「ディスク無」であることが明確に表示される。
【００２４】
以上のように、上述した実施形態においては、マイコン１７の入力端子Ｔ２に「Ｌ／Ｈ」のパルス信号が入力された場合に限り、入力端子Ｔ２の信号と出力端子Ｔ３の信号とを同期させず、出力端子Ｔ３から「Ｌ」に固定した表示制御信号を出力するようにしている。このため、電源がＯＦＦでスロット４にディスク１４が挿入されていない状態では、発光ダイオードＬＥＤ２が点滅することはなく、発光ダイオードＬＥＤ２の消灯によってディスクがないことを正確に知らせることができる。したがって、ユーザにおいて故障と誤認識されたり、スロット４内にディスク１４がないのにディスクがあると誤認識されたりするおそれがなくなり、ユーザに対してディスクの有無を正確に知らせることができる。この結果、ディスクがないのに誤って再生操作や録画操作を行うような事態を回避することができる。
【００２５】
また、本実施形態では、前掲の特許文献１のように２つの発光ダイオードを設けなくても、１つの発光ダイオードＬＥＤ２によってディスクの有無を確実に表示できるので、部品コストを低減することができる。さらに、マイコン１７の処理プログラムの一部改変だけで対応が可能であり、新たなハードウェアを追加する必要がないので、コスト上昇を招くことなく簡単に実現することができる。
【００２６】
上述した実施形態では、ディスク有無表示用の発光素子５としてＬＥＤを例に挙げたが、発光素子５はランプであってもよい。また、上述した実施形態では、液晶テレビを例に挙げたが、本発明はプラズマディスプレイ型のテレビ等にも適用することができ、さらにはテレビ以外のオーディオ機器等にも適用が可能である。
【図面の簡単な説明】
【００２７】
【図１】本発明が適用されるテレビの一例を示した正面図である。
【図２】テレビの電気的構成を示したブロック図である。
【図３】本発明によるディスク有無表示装置を示した図である。
【図４Ａ】ディスク有無表示装置の動作を説明する回路図である。
【図４Ｂ】ディスク有無表示装置の動作を説明する回路図である。
【図４Ｃ】ディスク有無表示装置の動作を説明する回路図である。
【図４Ｄ】ディスク有無表示装置の動作を説明する回路図である。
【符号の説明】
【００２８】
Ａ    テレビ
４    スロット
５    発光素子
１４  ディスク
１５  ディスクローダ
１６  ディスク検知部
１７  マイクロコンピュータ
１８  表示部
ＬＥＤ１，ＬＥＤ２  発光ダイオード
Ｑ１  フォトトランジスタ
【図１】
2006338763.tif 000003
【図２】
2006338763.tif 000004
【図３】
2006338763.tif 000005
【図４Ａ】
2006338763.tif 000006
【図４Ｂ】
2006338763.tif 000007
【図４Ｃ】
2006338763.tif 000008
【図４Ｄ】
2006338763.tif 000009
【手続補正書】
【提出日】平成17年7月1日(2005.7.1)
【手続補正１】
【補正対象書類名】図面
【補正対象項目名】図４Ｃ
【補正方法】変更
【補正の内容】
【図４Ｃ】
2006338763.tif 000010